(57)【要約】【課題】装飾シート片の出し入れを容易に行なうことができる装飾シート片の吊下保持具を提供する。【解決手段】可撓性を有する合成樹脂製シート状吊下保持具本体と、吊下保持具本体と重なるように吊下保持具本体の上端縁部に固着されて吊下保持具本体との間に紙製装飾シート片Ｓを出し入れ可能な挿入部Ｇを形成する透明樹脂製保護膜体４を、備える。紙製装飾シート片Ｓを、吊下保持具本体と保護膜体４の少なくとも一方との間の静電気によって、挿入部Ｇに保持可能に構成する。吊下保持具本体の上端縁部に、全体を吊下可能とする長尺状上形状保持部材５を有する。吊下保持具本体１の下端縁部６に、重りを兼ねた長尺状下形状保持部材７を有する。【選択図】図１
0003122031.tif 000002
【実用新案登録請求の範囲】
【請求項１】
可撓性を有する合成樹脂製シート状吊下保持具本体（１）と、該吊下保持具本体（１）と重なるように該吊下保持具本体（１）の上端縁部（２）に固着されて上記吊下保持具本体（１）との間に紙製装飾シート片（Ｓ）を出し入れ可能な挿入部（Ｇ）を形成する透明樹脂製保護膜体（４）を、備え、紙製装飾シート片（Ｓ）を、上記吊下保持具本体（１）と上記保護膜体（４）の少なくとも一方との間の静電気によって、上記挿入部（Ｇ）に保持可能に構成したことを特徴とする装飾シート片の吊下保持具。
【請求項２】
可撓性を有するシート状吊下保持具本体（１）と、該吊下保持具本体（１）と重なるように該吊下保持具本体（１）の上端縁部（２）に固着されて上記吊下保持具本体（１）との間に紙製装飾シート片（Ｓ）を出し入れ可能な挿入部（Ｇ）を形成する透明樹脂製保護膜体（４）を、備え、さらに、上記吊下保持具本体（１）に鉄粉が混入され、又は、上記吊下保持具本体（１）はスチール薄膜体を有する積層体から成り、かつ、上記保護膜体（４）を上記吊下保持具本体（１）に密着状とする保持磁石（14）を備え、上記保持磁石（14）を上記保護膜体（４）の表面に当接させて上記吊下保持具本体（１）に吸着させ、紙製装飾シート片（Ｓ）を、上記挿入部（Ｇ）に保持可能に構成したことを特徴とする装飾シート片の吊下保持具。
【請求項３】
上記吊下保持具本体（１）の上端縁部（２）に、全体を吊下可能とする長尺状上形状保持部材（５）を有するとともに、上記吊下保持具本体（１）の下端縁部（６）に、重りを兼ねた長尺状下形状保持部材（７）を有する請求項１又は２記載の装飾シート片の吊下保持具。
【請求項４】
上記上形状保持部材（５）及び上記下形状保持部材（７）が、パイプから成り、
上記吊下保持具本体（１）の上端縁部（２）、又は、上記保護膜体（４）の上端縁部（17）に、上引掛用部材（16）が固着され、かつ、上記吊下保持具本体（１）の下端縁部（６）に、下引掛用部材（11）が固着され、
上記上形状保持部材（５）が、その長手方向に、上記吊下保持具本体（１）の上端縁部（２）と上記保護膜体（４）の上端縁部（17）と上記上引掛用部材（16）の固着部から成る上固着部（３）の厚さ寸法（ｔ1 ）よりも小さな幅寸法（ｗ1 ）の上直線状間隙（８）を有し、該上直線状間隙（８）を形成する開口端縁部（９）の内面（10）に、上記上形状保持部材（５）の内側から上記上引掛用部材（16）が引掛かるように構成し、
上記下形状保持部材（７）が、その長手方向に、上記吊下保持具本体（１）の下端縁部（６）と上記下引掛用部材（11）の固着部から成る下固着部（12）の厚さ寸法（ｔ2 ）よりも小さな幅寸法（ｗ2 ）の下直線状間隙（13）を有し、上記下形状保持部材（７）が上記下引掛用部材（11）に上記下引掛用部材（11）を外包状に引掛かるように構成した請求項３記載の装飾シート片の吊下保持具。
【考案の詳細な説明】
【技術分野】
【０００１】
本考案は、装飾シート片の吊下保持具に関する。
【背景技術】
【０００２】
従来、絵画や雑誌の切抜き等の装飾シート片を壁面に飾るには、額縁に入れて飾っていた（例えば、特許文献１参照）。
【０００３】
しかし、装飾シート片の出し入れに手間がかかるという欠点があった。また、額縁を収納する際に大きなスペースを必要とするという欠点があった。そして、取扱い及び持ち運びが不便であるとともに、流通過程（例えばネット販売）での運送コストが高くなる虞れがあった。
【特許文献１】特開２００６−２０９号公報
【考案の開示】
【考案が解決しようとする課題】
【０００４】
解決しようとする課題は、装飾シート片の出し入れに手間がかかる点である。また、収納の際に大きなスペースを必要とする点である。また、取扱い及び持ち運びが不便であって、流通過程によっては、運送コストが高くなる点である。
【課題を解決するための手段】
【０００５】
そこで、本考案に係る装飾シート片の吊下保持具は、可撓性を有する合成樹脂製シート状吊下保持具本体と、該吊下保持具本体と重なるように該吊下保持具本体の上端縁部に固着されて上記吊下保持具本体との間に紙製装飾シート片を出し入れ可能な挿入部を形成する透明樹脂製保護膜体を、備え、紙製装飾シート片を、上記吊下保持具本体と上記保護膜体の少なくとも一方との間の静電気によって、上記挿入部に保持可能に構成したものである。
また、可撓性を有するシート状吊下保持具本体と、該吊下保持具本体と重なるように該吊下保持具本体の上端縁部に固着されて上記吊下保持具本体との間に紙製装飾シート片を出し入れ可能な挿入部を形成する透明樹脂製保護膜体を、備え、さらに、上記吊下保持具本体に鉄粉が混入され、又は、上記吊下保持具本体はスチール薄膜体を有する積層体から成り、かつ、上記保護膜体を上記吊下保持具本体に密着状とする保持磁石を備え、上記保持磁石を上記保護膜体の表面に当接させて上記吊下保持具本体に吸着させ、紙製装飾シート片を、上記挿入部に保持可能に構成したものである。
【０００６】
また、上記吊下保持具本体の上端縁部に、全体を吊下可能とする長尺状上形状保持部材を有するとともに、上記吊下保持具本体の下端縁部に、重りを兼ねた長尺状下形状保持部材を有するものである。
また、上記上形状保持部材及び上記下形状保持部材が、パイプから成り、上記吊下保持具本体の上端縁部、又は、上記保護膜体の上端縁部に、上引掛用部材が固着され、かつ、上記吊下保持具本体の下端縁部に、下引掛用部材が固着され、上記上形状保持部材が、その長手方向に、上記吊下保持具本体の上端縁部と上記保護膜体の上端縁部と上記上引掛用部材の固着部から成る上固着部の厚さ寸法よりも小さな幅寸法の上直線状間隙を有し、該上直線状間隙を形成する開口端縁部の内面に、上記上形状保持部材の内側から上記上引掛用部材が引掛かるように構成し、上記下形状保持部材が、その長手方向に、上記吊下保持具本体の下端縁部と上記下引掛用部材の固着部から成る下固着部の厚さ寸法よりも小さな幅寸法の下直線状間隙を有し、上記下形状保持部材が上記下引掛用部材に上記下引掛用部材を外包状に引掛かるように構成したものである。
【考案の効果】
【０００７】
本考案の装飾シート片の吊下保持具によれば、装飾シート片の出し入れを容易に行なうことができる。そして、装飾シート片を容易に交換することができる。また、コンパクトに収納することができる。そして、取扱い及び持ち運びを容易に行なうことができるとともに、運送コストを低くすることができる。
【考案を実施するための最良の形態】
【０００８】
図１は、本考案の第１の実施の形態の使用状態を示す。図２は、図１のＡ−Ａ断面を示す。この装飾シート片の吊下保持具は、後述の挿入部Ｇに装飾シート片Ｓ───例えば、写真、ポスター等───を挿入して保持するとともに、垂直壁面Ｘに（ピンＰから成る吊下補助部材Ｃを介して）吊下げて使用される。
【０００９】
具体的には、可撓性を有する合成樹脂製シート状吊下保持具本体１と、吊下保持具本体１と重なるように吊下保持具本体１の上端縁部２に固着されて吊下保持具本体１との間に紙製装飾シート片Ｓを出し入れ可能な挿入部Ｇを形成する透明樹脂製保護膜体４を、備え、紙製装飾シート片Ｓが、吊下保持具本体１と保護膜体４の少なくとも一方との間の静電気によって、挿入部Ｇに保持可能に構成されている。すなわち、吊下保持具本体１と保護膜体４の少なくとも一方は、紙との間に静電気を発生しやすい（帯電しやすい）材質のものを選定する。なお、本考案に於て、「合成樹脂」とは、合成ゴムを含むものとする。
【００１０】
吊下保持具本体１の上端縁部２に、全体を吊下可能とする長尺状上形状保持部材５を有する。吊下保持具本体１の下端縁部６に、重りを兼ねた長尺状下形状保持部材７を有する。上形状保持部材５及び下形状保持部材７が、合成樹脂製、金属製、木製等のパイプ（例えば丸パイプ）から成る。
吊下保持具本体１の上端縁部２、又は、保護膜体４の上端縁部17に、上引掛用部材16が固着されている。吊下保持具本体１の下端縁部６に、下引掛用部材11が固着されている。
【００１１】
上形状保持部材５が、その長手方向に、吊下保持具本体１の上端縁部２と保護膜体４の上端縁部17と上引掛用部材16の固着部から成る上固着部３の厚さ寸法ｔ1 よりも小さな幅寸法ｗ1 の上直線状間隙８を有し、上直線状間隙８を形成する開口端縁部９の内面10に、上形状保持部材５の内側から上引掛用部材16が引掛かるように構成されている。
【００１２】
下形状保持部材７が、その長手方向に、吊下保持具本体１の下端縁部６と下引掛用部材11の固着部から成る下固着部12の厚さ寸法ｔ2 よりも小さな幅寸法ｗ2 の下直線状間隙13を有し、下形状保持部材７が下引掛用部材11に下引掛用部材11を外包状に引掛かるように構成されている。
【００１３】
15は吊下部材を示す。吊下部材15は、吊下紐から成る。上形状保持部材５は、吊下部材15が取付けられて全体を吊下可能に構成されている。すなわち、吊下部材15を取付けるための図示省略の取付孔を有する。16は上引掛用部材を示す。
【００１４】
図３は、第２の実施の形態を示す。吊下保持具本体１に鉄粉が混入されている。そして、保護膜体４を吊下保持具本体１に密着状とする保持磁石14を備える。又は、（図示省略するが、）吊下保持具本体１が、（例えば0.01mm〜0.03mm程度の）スチール薄膜体───スチールペーパーとも言う───を、紙, 合成樹脂等のシート体と、積層して一体化した積層体から成るものであっても良い。すなわち、保持磁石14を保護膜体４の表面に当接させて吊下保持具本体１に吸着させ、紙製装飾シート片Ｓを、挿入部Ｇに保持可能に構成されている。その他の構成は、第１の実施の形態と同様である。
【００１５】
なお、本考案は、設計変更可能であって、例えば、吊下部材15が吊下金具から成るも良い。また、上形状保持部材５に吊下用の孔を設けて、上形状保持部材５を直接ピンＰ等から成る吊下補助部材Ｃに引掛けて全体を吊下可能に構成するも良い。（すなわち、吊下部材15を省略するも良い。）
【００１６】
以上のように、本考案は、可撓性を有する合成樹脂製シート状吊下保持具本体１と、吊下保持具本体１と重なるように吊下保持具本体１の上端縁部２に固着されて吊下保持具本体１との間に紙製装飾シート片Ｓを出し入れ可能な挿入部Ｇを形成する透明樹脂製保護膜体４を、備え、紙製装飾シート片Ｓを、吊下保持具本体１と保護膜体４の少なくとも一方との間の静電気によって、挿入部Ｇに保持可能に構成したので、装飾シート片Ｓの出し入れを容易に行なうことができる。そして、装飾シート片Ｓを容易に交換することができる。また、全体を巻き物状にしてコンパクトに収納することができる。そして、取扱い及び持ち運びを容易に行なうことができるとともに、運送コストを低くすることができる。また、購買意欲を促進することができる。
【００１７】
また、可撓性を有するシート状吊下保持具本体１と、吊下保持具本体１と重なるように吊下保持具本体１の上端縁部２に固着されて吊下保持具本体１との間に紙製装飾シート片Ｓを出し入れ可能な挿入部Ｇを形成する透明樹脂製保護膜体４を、備え、さらに、吊下保持具本体１に鉄粉が混入され、又は、上記吊下保持具本体１はスチール薄膜体を有する積層体から成り、かつ、保護膜体４を吊下保持具本体１に密着状とする保持磁石14を備え、保持磁石14を保護膜体４の表面に当接させて吊下保持具本体１に吸着させ、紙製装飾シート片Ｓを、挿入部Ｇに保持可能に構成したので、装飾シート片Ｓをより確実に保持することができる。また、表面に磁石を使用した小物やメモを着脱させることができる。また、装飾シート片Ｓの出し入れを容易に行なうことができる。そして、装飾シート片Ｓを容易に交換することができる。また、全体を巻き物状にしてコンパクトに収納することができる。そして、取扱い及び持ち運びを容易に行なうことができるとともに、運送コストを低くすることができる。また、購買意欲を促進することができる。
【００１８】
また、吊下保持具本体１の上端縁部２に、全体を吊下可能とする長尺状上形状保持部材５を有するとともに、吊下保持具本体１の下端縁部６に、重りを兼ねた長尺状下形状保持部材７を有するので、吊下保持具本体１のカールやひずみを抑えることができる。すなわち、吊下保持具本体１の平面状態を確実に維持することができる。
【００１９】
また、上形状保持部材５及び下形状保持部材７が、パイプから成り、吊下保持具本体１の上端縁部２、又は、保護膜体４の上端縁部17に、上引掛用部材16が固着され、かつ、吊下保持具本体１の下端縁部６に、下引掛用部材11が固着され、上形状保持部材５が、その長手方向に、吊下保持具本体１の上端縁部２と保護膜体４の上端縁部17と上引掛用部材16の固着部から成る上固着部３の厚さ寸法ｔ1 よりも小さな幅寸法ｗ1 の上直線状間隙８を有し、上直線状間隙８を形成する開口端縁部９の内面10に、上形状保持部材５の内側から上引掛用部材16が引掛かるように構成し、下形状保持部材７が、その長手方向に、吊下保持具本体１の下端縁部６と下引掛用部材11の固着部から成る下固着部12の厚さ寸法ｔ2 よりも小さな幅寸法ｗ2 の下直線状間隙13を有し、下形状保持部材７が下引掛用部材11に下引掛用部材11を外包状に引掛かるように構成したので、上固着部３を目隠しすることができるとともに、外観が優れる。特に、上形状保持部材５及び下形状保持部材７をともにパイプから成るので、統一性もあり、外観が良い。
【図面の簡単な説明】
【００２０】
【図１】本考案の第１の実施の形態の使用状態を示す正面図である。
【図２】図１のＡ−Ａ断面図である。
【図３】第２の実施の形態を示す断面側面図である。
【符号の説明】
【００２１】
１  吊下保持具本体
２  上端縁部
３  上固着部
４  保護膜体
５  上形状保持部材
６  下端縁部
７  下形状保持部材
８  上直線状間隙
９  開口端縁部
10  内面
11  下引掛用部材
12  下固着部
13  下直線状間隙
14  保持磁石
15  吊下部材
16  上引掛用部材
17  上端縁部
Ｇ  挿入部
Ｓ  装飾シート片
ｔ1 厚さ寸法
ｔ2 厚さ寸法
ｗ1 幅寸法
ｗ2 幅寸法
【図１】
0003122031.tif 000003
【図２】
0003122031.tif 000004
【図３】
0003122031.tif 000005